(57)【要約】【課題】  電子の秒速は、高エネルギーの場では小さい。低エネルギーの場では大きい。同じ１秒間でも、電子が走る距離は異なる。時間を距離で表すと、高エネルギーの場では、時間は短縮されている。宇宙では時間と空間はどのように拡大したのか。ビッグバンで、時間と空間はどれだけ拡大したか。【解決手段】  電子のラブの秒速から、時間の短縮と拡大を計算する。電子のラブの公転軌道から空間の縮小と拡大を計算する。ラブの公転軌道エネルギー＝８．６６５×１０−２４Ｊｍから、宇宙の場の、電子のラブのエネルギーと公転軌道と空間と時間と温度と引力を知る。宇宙のエネルギーと公転軌道のグラフを作る。１００の点をビッグバンがおきた時点とし、電子のラブの質量に成る１個の光子のエネルギーを８．６６５Ｊとする。光子のエネルギーが質量に変換するとき、１／１０００のエネルギーが質量に成ると考える。【選択図】図１
2007274891.tif 000002
【特許請求の範囲】
【請求項１】
軌道が小さくなるほど時間は短縮する。高エネルギーの場ほど、時間は短縮している。低エネルギーの場ほど、時間は伸びている。時間の短縮と拡大の原理。
電子のラブの秒速は、軌道が小さくなるほど小さくなる。
電子のラブの秒速＝３．１４×公転軌道×１秒間の公転数＝３．１４×公転軌道×（７．９６×１０７）２公転です。
陽子のラブの秒速は、軌道が小さくなるほど小さくなる。
陽子のラブの秒速＝３．１４×公転軌道×１秒間の公転数＝３．１４×公転軌道×４．３４×１０４×７．９６×１０７公転  です。
例えば、地表は１℃の場であるとします。１℃の場では、電子のラブの公転軌道は、１．０５８×１０−１０ｍで、秒速は、２．１×１０６ｍです。
１００℃の場では、電子のラブの公転軌道は、１．０５８×１０−１１ｍで、秒速は、２．１×１０５ｍです。
１００００℃の場では、電子のラブの公転軌道は、１．０５８×１０−１２ｍで、秒速は、２．１×１０４ｍです。
１００℃の場では、軌道は１／１０になり、空間は１／１０になります。
秒速は１／１０になり、時間は１／１０になります。
１００００℃の場では、軌道は１／１００になり、空間は１／１００になります。
秒速は１／１００になり、時間は１／１００になります。
地表では、電子のラブの秒速は、２．１×１０６ｍです。
太陽の中で、１０６℃の場では、電子のラブの公転軌道は、１／１０００になり、秒速は１／１０００になります。
電子のラブにとって、太陽の中は、１秒間は２．１×１０３ｍです。地表は、１秒間は２．１×１０６ｍです。
時間を長さで表現したら、
地表は、１秒間は２．１×１０６ｍの世界です。太陽の中は、１秒間は２．１×１０３ｍの世界です。
よって、
高エネルギーの場ほど、時間は短縮している。空間は縮小している。
低エネルギーの場ほど、時間は伸びている。空間は拡大している。
【請求項２】
地球の地下では、時間と空間は地表の何分の１か。地表を１とするといくらか。
・地下６５００Ｋｍの温度は７３２７℃です。温度１／２＝８５．６℃  Ａ＝８５．６
時間は秒速で比較する。空間は公転軌道で比較する。
秒速は、３．１４×１．０５８×１０−１０ｍ÷８５．６×（７．９５×１０７）３公転で、地表の８５．６分の１です。
１÷８５．６＝１．１６×１０−２
時間は地表を１とすると、１．１６×１０−２に短縮しています。
電子のラブの公転軌道は、１．０５８×１０−１０ｍ÷８５．６で、地表の８５．６分の１です。
１÷８５．６＝１．１６×１０−２
空間は地表を１とすると、１．１６×１０−２に縮小しています。
・地下６０００Ｋｍの温度は６０００℃です。温度１／２＝７７．４６℃  Ａ＝７７．４６
秒速は、地表の７７．４６分の１です。
１÷７７．４６＝１．２９×１０−２
時間は地表を１とすると、１．２９×１０−２に短縮しています。
電子のラブの公転軌道は、地表の７７．４６分の１です。
空間は地表を１とすると、１．２９×１０−２に縮小しています。
・地下５０００Ｋｍの温度は５０００℃です。温度１／２＝７０．７１℃  Ａ＝７０．７１
秒速は、地表の７０．７１分の１です。
１÷７０．７１＝１．４１４×１０−２
時間は地表を１とすると、１．４１４×１０−２に短縮しています。
電子のラブの公転軌道は、地表の７７．４６分の１です。
空間は地表を１とすると、１．４１４×１０−２に縮小しています。
・地下４０００Ｋｍの温度は４０００℃です。温度１／２＝６３．２５℃  Ａ＝６３．２５
秒速は、地表の６３．２５分の１です。
１÷６３．２５＝１．４１４×１０−２
時間は地表を１とすると、１．５８１×１０−２に短縮しています。
電子のラブの公転軌道は、地表の６３．２５分の１です。
空間は地表を１とすると、１．５８１×１０−２に縮小しています。
・地下３０００Ｋｍの温度は３０００℃です。温度１／２＝５４．７７℃  Ａ＝５４．７７
秒速は、地表の５４．７７分の１です。
１÷５４．７７＝１．８２６×１０−２
時間は地表を１とすると、１．８２６×１０−２に短縮しています。
電子のラブの公転軌道は、地表の５４．７７分の１です。
空間は地表を１とすると、１．８２６×１０−２に縮小しています。
・地下２０００Ｋｍの温度は２０００℃です。温度１／２＝４４．７２℃  Ａ＝４４．７２
秒速は、地表の４４．７２分の１です。
１÷４４．７２＝２．２３６×１０−２
時間は地表を１とすると、２．２３６×１０−２に短縮しています。
電子のラブの公転軌道は、地表の４４．７２分の１です。
空間は地表を１とすると、２．２３６×１０−２に縮小しています。
・地下１０００Ｋｍの温度は１０００℃です。温度１／２＝３１．６２３℃  Ａ＝３１．６２３
秒速は、地表の４４．７２分の１です。
１÷３１．６２３＝３．１６２×１０−２
時間は地表を１とすると、３．１６２×１０−２に短縮しています。
電子のラブの公転軌道は、地表の３１．６２３分の１です。
空間は地表を１とすると、３．１６２×１０−２に縮小しています。
【請求項３】
太陽の深さでは、時間と空間は地表の何分の１か。地表を１とするといくらか。
・深さ７×１０５Ｋｍの温度は、１５×１０６℃です。温度１／２＝３．８７３×１０３℃  Ａ＝３．８７３×１０３
秒速は、地表の３．８７３×１０３分の１です。
１÷（３．８７３×１０３）＝２．５８２×１０−４
時間は地表を１とすると、２．５８２×１０−４に短縮しています。
電子のラブの公転軌道は、地表の３．８７３×１０３分の１です。
空間は地表を１とすると、２．５８２×１０−４に縮小しています。
・深さ６×１０５Ｋｍの温度は、１５×１０６℃です。温度１／２＝３．８７３×１０３℃  Ａ＝３．８７３×１０３
秒速は、地表の３．８７３×１０３分の１です。
１÷（３．８７３×１０３）＝２．５８２×１０−４
時間は地表を１とすると、２．５８２×１０−４に短縮しています。
電子のラブの公転軌道は、地表の３．８７３×１０３分の１です。
空間は地表を１とすると、２．５８２×１０−４に縮小しています。
・深さ５×１０５Ｋｍの温度は、１１．７×１０６℃です。温度１／２＝３．４２８×１０３℃  Ａ＝３．４２８×１０３
秒速は、地表の３．４２８×１０３分の１です。
１÷（３．４２８×１０３）＝２．９１７×１０−４
時間は地表を１とすると、２．９１７×１０−４に短縮しています。
電子のラブの公転軌道は、地表の３．４２８×１０３分の１です。
空間は地表を１とすると、２．９１７×１０−４に縮小しています。
・深さ４×１０５Ｋｍの温度は、８．５×１０６℃です。温度１／２＝２．９１５×１０３℃  Ａ＝２．９１５×１０３
秒速は、地表の２．９１５×１０３分の１です。
１÷（２．９１５×１０３）＝３．４３１×１０−４
時間は地表を１とすると、３．４３１×１０−４に短縮しています。
電子のラブの公転軌道は、地表の２．９１５×１０３分の１です。
空間は地表を１とすると、３．４３１×１０−４に縮小しています。
・深さ３×１０５Ｋｍの温度は、５．２５×１０６℃です。温度１／２＝２．２９１×１０３℃  Ａ＝２．２９１×１０３
秒速は、地表の２．２９１×１０３分の１です。
１÷（２．２９１×１０３）＝４．３６５×１０−４
時間は地表を１とすると、４．３６５×１０−４に短縮しています。
電子のラブの公転軌道は、地表の２．２９１×１０３分の１です。
空間は地表を１とすると、４．３６５×１０−４に縮小しています。
・深さ２×１０５Ｋｍの温度は、２×１０６℃です。温度１／２＝１．４１４×１０３℃  Ａ＝１．４１４×１０３
秒速は、地表の１．４１４×１０３分の１です。
１÷（１．４１４×１０３）＝７．０７２×１０−４
時間は地表を１とすると、７．０７２×１０−４に短縮しています。
電子のラブの公転軌道は、地表の１．４１４×１０３分の１です。
空間は地表を１とすると、７．０７２×１０−４に縮小しています。
・深さ１０５Ｋｍの温度は、１０６℃です。温度１／２＝１０３℃  Ａ＝１０３
秒速は、地表の１０３分の１です。
１÷１０３＝１０−３
時間は地表を１とすると、１０−３に短縮しています。
電子のラブの公転軌道は、地表の１０３分の１です。
空間は地表を１とすると、１０−３に縮小しています。
・深さ１０４Ｋｍの温度は、１０５℃です。温度１／２＝３．１６２×１０２℃  Ａ＝３．１６２×１０２
秒速は、地表の３．１６２×１０２分の１です。
１÷（３．１６２×１０２）＝３．１６３×１０−３
時間は地表を１とすると、３．１６３×１０−３に短縮しています。
電子のラブの公転軌道は、地表の３．１６２×１０２分の１です。
空間は地表を１とすると、３．１６３×１０−３に縮小しています。
・深さ１０３Ｋｍの温度は、１０４℃です。温度１／２＝１０２℃  Ａ＝１０２
秒速は、地表の１０２分の１です。
１÷１０２＝１０−２
時間は地表を１とすると、１０−２に短縮しています。
電子のラブの公転軌道は、地表の１０２分の１です。
空間は地表を１とすると、１０−２に縮小しています。
・深さ４×１０２Ｋｍの温度は、６．４×１０３℃です。温度１／２＝８０℃  Ａ＝８０
秒速は、地表の８０分の１です。
１÷８０＝１．２５×１０−２
時間は地表を１とすると、１．２５×１０−２に短縮しています。
電子のラブの公転軌道は、地表の８０分の１です。
空間は地表を１とすると、１．２５×１０−２に縮小しています。
・深さ１Ｋｍの温度は、４．３×１０３℃です。温度１／２＝６５．５７４℃  Ａ＝６５．５７４
秒速は、地表の６５．５７４分の１です。
１÷６５．５７４＝１．５２５×１０−２
時間は地表を１とすると、１．５２５×１０−２に短縮しています。
電子のラブの公転軌道は、地表の６５．５７４分の１です。
空間は地表を１とすると、１．５２５×１０−２に縮小しています。
【請求項４】
ブラックホールの時間と空間は、地表の何分の１か。地表を１とするといくらか。
ブラックホールの温度を１．５×１０１０℃としますと、温度１／２＝１．２２５×１０５℃  Ａ＝１．２２５×１０５
ブラックホールの時間と空間は、地表の１．２２５×１０５分の１です。
１÷（１．２２５×１０５）＝８．１６３×１０−６
時間は地表を１とすると、８．１６３×１０−６に短縮しています。
空間は地表を１とすると、８．１６３×１０−６に縮小しています。
【請求項５】
地表において、陽子のラブの時間と空間は電子のラブの何分の１か。電子のラブの時間と空間を１とするといくらか。
・陽子のラブの秒速は、
３．１４×５．７６４×１０−１４ｍ×４．３４×１０４×７．９６×１０７公転＝０．６２５３ｍ  です。
陽子のラブの秒速は、電子のラブの秒速の何倍か。
０．６２５３ｍ÷（２．１×１０６ｍ）＝２．９７８×１０−７倍です。
これは、何分の１か。
１÷（２．９７８×１０−７）＝３．３５８×１０６分の１です。
陽子のラブの時間は、電子のラブの時間の３．３５８×１０６分の１です。
陽子のラブの時間は、電子のラブの時間を１とすると、２．９７８×１０−７です。
・地表において、陽子のラブの公転軌道は、５．７６４×１０−１４ｍですから、これは電子のラブの公転軌道の１８３６分の１です。
陽子のラブの空間は、電子のラブの空間の１８３６分の１です。
１÷１８３６＝５．４４６×１０−４
陽子のラブの空間は、電子のラブの空間を１とすると、５．４４６×１０−４です。
即ち、高エネルギーの場ほど、時間と空間は縮小している。
【請求項６】
宇宙の場において、電子のラブのエネルギーと電子のラブの軌道とＡ（地表を１とするエネルギーの比）と空間と時間と温度と引力を表にするとどのようであるか。
ラブの軌道エネルギー＝８．６６５×１０−２４  です。
宇宙の電子の軌道エネルギーもこの式によって表現できる。
宇宙の電子のラブの軌道とエネルギーから、地表を１とする、エネルギーの比と空間の比と時間の比と温度の比と引力の比が理解できる。
それを、表にする。
2007274891.tif 000011
2007274891.tif 000012
【請求項７】
宇宙の場において、エネルギーと軌道の関係はどのようなグラフで現されるか。
ラブのエネルギー×軌道＝８．６６５×１０−２４Ｊｍです。
ラブのエネルギーを１０ｘＪとし、ラブの公転軌道を１０ｙｍとする。
１０ｘＪ×１０ｙｍ＝８．６６５×１０−２４Ｊｍ
ｘ＋ｙ＝−２４＋ｌｏｇ８．６６５＝−２４＋０．９３１
ｘ＋ｙ≒−２３
ｙ＝−ｘ−２３
ラブのエネルギーを１０ｘＪとし、ラブの公転軌道を１０ｘｍとすると、その関係のグラフは、
ｙ＝−ｘ−２３です。
【請求項８】
宇宙のエネルギーと軌道の関係のグラフで何が理解できるか。
▲１▼その場のエネルギーが、宇宙のどの点に属するのかを理解できる。
・地表の電子のラブは、公転軌道は１．０５８×１０−１０ｍで、エネルギーは８．１８７×１０−１４Ｊですから、ｙ≒−１０で、ｘ＝−１４＋０．９１≒−１３です。
・電子の崩壊は、−２７３℃ですから、その場の電子のラブの公転軌道は、１．０５８×１０−１０ｍ×１６．５２２＝１．７４８×１０−９ｍですから、ｙ＝−９＋ｌｏｇ１．７４８＝−９＋０．２４＝−８．７６
ｘ＝−２３＋８．７６＝１４．２４    です。
・中性子星の電子のラブの公転軌道は、１．０８０×１０−１５ｍです。（これは、２００７年３月７日提出した特許願「請求項１３」に記した。）
それで、ｙ≒−１５で、ｘ≒−８です。
・ブラックホールの電子のラブの公転軌道は、８．６３９×１０−１６ｍです。（これは、２００７年３月７日提出した特許願「請求項１２」に記した。）
それで、ｙ＝−１６＋ｌｏｇ８．６３９＝−１６＋０．９４≒−１５で、ｘ＝−８です。
・地球の中心は、電子のラブの公転軌道は、１．０５８×１０−１０ｍ÷８５．６＝１．２３６×１０−１２ｍです。
それで、ｙ＝−１２＋ｌｏｇ１．２３６＝−１２＋０．１３３５＝−１１．８７で、ｘ＝−２３＋１１．８７＝−１１．１３
・太陽の中心は、電子のラブの公転軌道は、１．０５８×１０−１０ｍ÷（３．８７３×１０３）＝２．７３２×１０−１４ｍです。
それで、ｙ＝−１４＋ｌｏｇ２．７３２＝−１４＋０．４３６＝−１３．５６で、ｘ＝−２３＋１３．５６＝−９．４４
このように、具体的に、その場のエネルギーが、宇宙のどの点に属するのかを理解できる。
▲２▼ｘ＝０の時、ビッグバンがおきたと推察できる。
▲３▼ビッグバンがおきた以前の宇宙が有る事が予想できる。その宇宙は、エネルギーは８．６６５Ｊより大きい。公転軌道は１０−２４ｍより小さい。
【請求項９】
ｘ＝０のとき、ビッグバンがおきたと仮定すると、その場の電子のラブの質量になる光子のエネルギーはいくらか。その場の陽子のラブの質量になる光子のエネルギーはいくらか。
ｘ＝０の場合。
その場の電子のラブの質量になる光子のエネルギーは、８．６６５×１００Ｊ＝８．６６５Ｊです。
その場の陽子のラブの質量になる光子のエネルギーは、１８３６倍ですから、８．６６５Ｊ×１８３６＝１．５９１×１０４Ｊです。
この場のエネルギーは、地表の、１．５９１×１０４Ｊ÷（１．５×１０−１０Ｊ）＝１．０６×１０１４倍です。
この場はビッグバンがおきた場で、ビッグバンの以前の場であり、ここに存在するのは光子だけです。
【請求項１０】
ビッグバンの場で存在した光子のエネルギーはどのように質量と成ったか。
この問題に関して、私は、２００６年１２月３０日提出した、特願２００６−３５７５５０の「請求項５」で、（質量はエネルギーから生まれた。ビッグバンの以前、存在したのはエネルギーだけであった。それがビッグバンによって、エネルギーは絶対０度の空間に放出した。エネルギーは急に冷えたので、固体になり、質量に変身した。
ビッグバンの以前、存在したのは光子のエネルギーであった。そして、ビッグバンの時、光子のエネルギーは質量に変換した。１Ｊｍの自転軌道エネルギーは２．６６７Ｋｇに変換した。）と記した。
エネルギーから質量に変わるとき、たくさんのエネルギーが使われると考える。
例えば、水蒸気が水になるとき、エネルギーを放散して水に成ります。
低エネルギーの物になるためには、エネルギーを減少させる必要があります。
それで、エネルギーから質量になるためには、エネルギーを減少させて質量になった。
エネルギーが質量になるために必要なエネルギー＝エネルギーが質量に変換するために必要なエネルギー＝エネルギーが質量になるために消費されるエネルギー
これを「ラブ生成エネルギー」と名づける
「ラブ生成エネルギー」はラブのエネルギーの１０００倍であると考える。
エネルギーの１０００分の１が質量に変換した。と考える。
例えば、１Ｊの光子のエネルギーが有った場合、質量になったエネルギーは０．００１Ｊのエネルギーであると考える。
それで、
ｘ＝０のとき、ビッグバンがおきたと仮定する。
・その場の電子のラブの質量になる光子のエネルギーは８．６６５Ｊです。
この光子を１粒（１個）の光子と考える。
８．６６５Ｊの１粒（１個）の光子から電子のラブ１個ができたと考える。
電子のラブの質量になる光子１個の自転軌道は、
６．１１２×１０−５７Ｊｍ÷光子１個のエネルギー＝６．１１２×１０−５７Ｊｍ÷８．６６５Ｊ＝７．０５４×１０−５８ｍです。
・その場の陽子のラブの質量になる光子１個のエネルギーは、１．５９１×１０４Ｊです。
この光子を１粒（１個）の光子と考える。
１．５９１×１０４Ｊの１粒（１個）の光子から陽子のラブ１個ができたと考える。
陽子のラブの質量になる光子１個の自転軌道は、
１．２１１×１０−５３Ｊｍ÷光子１個のエネルギー＝１．１２１×１０−５３Ｊｍ÷（１．５９１×１０４Ｊ）＝７．０４６×１０−５８ｍです。
ビッグバンの後。
ビッグバンの以前の光子の１０００分の１のエネルギーが電子のラブになった。
ビッグバンの後、８．６６５Ｊ÷１０００＝８．６６５×１０−３Ｊの光子のエネルギーが電子のラブの質量に成った。
１．５９１×１０４Ｊ÷１０００＝１５．９１Ｊの光子のエネルギーが陽子のラブの質量に成った。
特願２００６−３５７５５０の「請求項１０」において、（もしビッグバンの時の場のエネルギーが、地上の１０１１倍であるとすると、陽子のラブのエネルギーは、１．５×１０−１０Ｊ×１０１１＝１．５×１０Ｊです。）と記した。
よって、宇宙のエネルギーと軌道の関係のグラフで、ｘ＝０の点をビッグバンがおきた時、と仮定すると、その場の電子のラブの質量になる光子１個のエネルギーは８．６６５Ｊで、陽子のラブの質量になる光子１個のエネルギーは１．５９１×１０４Ｊです。
この光子１個のエネルギーの約１／１０００がラブの質量になるエネルギーに成るとすると、電子のラブの質量に成る光子１個のエネルギーは８．６６５×１０−３Ｊで、陽子のラブの質量に成る光子１個のエネルギーは１５．９１Ｊです。
陽子のラブの質量に成る光子１個のエネルギーを、１５Ｊとする。
電子のラブの質量に成る光子１個のエネルギーを、８．１８７×１０−３Ｊとする。
この場のエネルギーは、地表の１０１１倍である。
以下は特願２００６−３５７５５０と同じです。
これを表にします。
ビッグバンがおきた時＝ビッグバンの以前の状態。
2007274891.tif 000013
2007274891.tif 000014
ビッグバンの後質量ができた。
2007274891.tif 000015
【請求項１１】
ビッグバンがおきた時＝ビッグバンの以前、の時間と空間は地表の何倍か。
ビッグバンがおきた時の状態はビッグバンの以前の状態です。
それで、ビッグバンがおきた時の状態＝ビッグバンの以前の状態  です。
ビッグバンがおきた時＝ビッグバンの以前。
・電子のラブの質量になる光子１個の場合。
電子のラブの質量になる光子１個のエネルギーは８．６６５Ｊで、自転軌道は、７．０５４×１０−５８ｍです。現在、地表の電子のラブの自転軌道は、４．１７５×１０−１８ｍです。
それで、ビッグバンの以前の空間は、地表の空間の、
４．１７５×１０−１８ｍ÷（７．０５４×１０−５８ｍ）＝５．９１２×１０３９分の１であり、
１÷（５．９１２×１０３９）＝１．６９１×１０−４０倍です。
空間が１．６９１×１０−４０倍ですから、時間も１．６９１×１０−４０倍です。
ビッグバンの以前、電子のラブの質量になる光子１個の秒速は、
２．１０６×１０６×１．６９１×１０−４０＝３．５６１×１０−３４ｍです。
この光子は１秒間に何回自転するか。
秒速÷自転軌道＝３．５６１×１０−３４ｍ÷（７．０５４×１０−５８ｍ）＝５．０４８×１０２３回自転する。
これは、電子のラブの１秒間の自転数です。
・陽子のラブの質量になる光子１個の場合。
陽子のラブの質量になる光子１個のエネルギーは１．５９１×１０４Ｊで、自転軌道は、７．０５４×１０−５８ｍです。地表の陽子のラブの自転軌道は、４．１７５×１０−１８ｍです。
それで、ビッグバンの以前の空間は、地表の空間の、
４．１７５×１０−１８ｍ÷（７．０４６×１０−５８ｍ）＝５．９２５×１０３９分の１であり、
１÷（５．９２５×１０３９）＝１．６８８×１０−４０倍です。
空間が１．６８８×１０−４０倍ですから、時間も１．６８８×１０−４０倍です。
ビッグバンの以前、陽子のラブの質量になる光子１個の秒速は、
０．６２６６×１．６８８×１０−４０＝１．０５８×１０−４０ｍです。
この光子は１秒間に何回自転するか。
秒速÷自転軌道＝１．０５８×１０−４０ｍ÷（７．０４６×１０−５８ｍ）＝１．５０２×１０１７回自転する。
これは、陽子のラブの１秒間の自転数です。
即ち、ビッグバンの以前、電子のラブの質量に成る１個の光子は、１秒間に（７．９６×１０７）３＝５．０４４×１０２３回自転していた。
ビッグバンの以前、陽子のラブの質量に成る１個の光子は、１秒間に４．３４×１０４×（７．９６×１０７）２＝１．４９９×１０１７回自転していた。
この事によって、ビッグバンの以前に、電子のラブの性質は、電子のラブの質量に成る光子に、すでにできあがっていた。
ビッグバンの以前に、陽子のラブの性質は、陽子のラブの質量に成る光子に、すでにできあがっていた。
電子のラブと陽子のラブは、偶然にできたのではない。
【請求項１２】
ビッグバンの後の時間と空間は地表の何倍か。
ビッグバンの後、電子のラブの質量になる１個の光子は、約１０００分の１のエネルギーが電子のラブの質量になった。と仮定する。
・電子のラブの場合。
ビッグバンの後、できた電子のラブのエネルギーは、８．１８７×１０−３Ｊで、電子のラブの自転軌道は、４．１７２×１０−２９ｍです。
地表の、電子のラブの自転軌道は、４．１７５×１０−１８ｍです。
ビッグバンの後の空間は、地表の空間の、
４．１７５×１０−１８ｍ÷（４．１７２×１０−２９ｍ）＝１０１１分の１です。
１÷１０１１＝１０−１１倍です。
ビッグバンの後の、電子のラブの秒速は、
自転軌道×１秒間の自転数＝４．１７２×１０−２９ｍ×５．０４４×１０２３回＝２．１０４×１０−５ｍです。
地表の、電子のラブの秒速は、２．１０６×１０６ｍです。
ビッグバン後の時間は、地表の時間の、
２．１０６×１０６ｍ÷（２．１０４×１０−５ｍ）＝１０１１分の１です。
１÷１０１１＝１０−１１倍です。
１秒間の自転数は、
秒速÷自転軌道＝２．１０４×１０−５ｍ÷（４．１７２×１０−２９ｍ）＝５．０４３×１０２３自転です。
・陽子のラブの場合。
ビッグバンの後、できた陽子のラブのエネルギーは、１５Ｊで、陽子のラブの自転軌道は、４．１８２×１０−２９ｍです。
地表の、陽子のラブの自転軌道は、４．１７５×１０−１８ｍです。
ビッグバンの後の空間は、地表の空間の、
４．１７５×１０−１８ｍ÷（４．１８２×１０−２９ｍ）≒１０１１分の１です。
１÷１０１１＝１０−１１倍です。
ビッグバンの後の、陽子のラブの秒速は、
自転軌道×１秒間の自転数＝４．１８２×１０−２９ｍ×１．４９９×１０１７回＝６．２６９×１０−１２ｍです。
地表の、陽子のラブの秒速は、０．６２６６ｍです。
ビッグバン後の時間は、地表の時間の、
０．６２６６ｍ÷（６．２６９×１０−１２ｍ）≒１０１１分の１です。
１÷１０１１＝１０−１１倍です。
１秒間の自転数は、
秒速÷自転軌道＝６．２６９×１０−１２ｍ÷（４．１８２×１０−２９ｍ）＝１．４９９×１０１７自転です。
秒速
2007274891.tif 000016
【請求項１３】
ビッグバンで時間と空間は何倍に拡大したか。
・電子のラブの質量に成る１個の光子の場合、
ビッグバンの以前、電子のラブの質量に成る１個の光子の自転軌道は、７．０５４×１０−５８ｍです。ビッグバンの後、電子のラブの自転軌道は、４．１７２×１０−２９ｍです。
ビッグバンで、空間は、４．１７２×１０−２９ｍ÷（７．０５４×１０−５８ｍ）＝５．９１４×１０２８倍に拡大した。
ビッグバンの以前、電子のラブの質量に成る１個の光子の秒速は、３．５６１×１０−３４ｍです。
ビッグバンの後、電子のラブの秒速は、２．１０４×１０−５ｍです。
ビッグバンで、時間は、２．１０４×１０−５ｍ÷（３．５６１×１０−３４ｍ）＝５．９０８×１０２８倍に伸びた。
・陽子のラブの質量に成る１個の光子の場合、
ビッグバンの以前、陽子のラブの質量に成る１個の光子の自転軌道は、７．０４６×１０−５８ｍです。ビッグバンの後、陽子のラブの自転軌道は、４．１８２×１０−２９ｍです。
ビッグバンで、空間は、４．１８２×１０−２９ｍ÷（７．０４６×１０−５８ｍ）＝５．９３５×１０２８倍に拡大した。
ビッグバンの以前、陽子のラブの質量に成る１個の光子の秒速は、１．０５８×１０−４０ｍです。
ビッグバンの後、陽子のラブの秒速は、６．２６９×１０−１２ｍです。
ビッグバンで、時間は、６．２６９×１０−１２ｍ÷（１．０５８×１０−４０ｍ）＝５．９２５×１０２８倍に伸びた。
【請求項１４】
ビッグバンの以前の温度と引力はいくらか。
電子のラブの質量に成る１個の光子のエネルギーは、８．６６５Ｊです。
これは地表の電子のラブのエネルギーの、
８．６６５Ｊ÷（８．１８７×１０−１４Ｊ）＝１．０５８×１０１４倍です。Ａ＝１．０５８×１０１４
温度と引力はＡ２倍ですから、
Ａ２＝（１．０５８×１０１４）２＝１．１２×１０２８
温度と引力は、地表の１．１２×１０２８倍です。
ビッグバンの以前の温度は、１．１２×１０２８℃です。
ビッグバンの以前の引力係数は、
地表の引力係数×１．１２×１０２８＝６．６７２×１０−１１Ｊｍ／Ｋｇ２×１．１２×１０２８＝７．４７３×１０１７Ｊｍ／Ｋｇ２です。
ビッグバンの以前とビッグバン後のまとめ。
2007274891.tif 000017
2007274891.tif 000018
場のエネルギーとＡと温度と引力
2007274891.tif 000019
【発明の詳細な説明】
【技術分野】
【０００１】  この発明は、その場のエネルギーによって、空間は縮小し、時間は短縮している事に関する
この発明は宇宙の場の、空間と時間と軌道とエネルギーと温度と引力に関する。ビッグバンの以前の状態に関する。ビッグバン後の状態に関する。
【背景技術】
【０００２】  その場のエネルギーによって、空間は縮小し、時間は短縮している事は知られていない。宇宙のエネルギーは徐々に低くなっている。宇宙の場の、空間と時間と軌道とエネルギーと温度と引力の関係については、まだ知られていない。
【発明の開示】
電子のラブの秒速は、高エネルギーの場では小さい。低エネルギーの場では大きい。同じ１秒間でも、電子のラブが走る距離は異なる。時間を距離で表すと、高エネルギーの場では、時間は短縮されている。地球の地下では、中央に進むほど、電子のラブの公転軌道は小さくなり、秒速は小さくなる。時間は短縮され、空間は縮小される。
時間を秒速で比較する。空間を公転軌道で比較する。
【発明が解決しようとする課題】
【０００３】１．軌道が小さくなるほど時間は短縮する。高エネルギーの場ほど、時間は短縮している。低エネルギーの場ほど、時間は伸びている。時間の短縮と拡大の原理
２．地球の地下では、時間と空間は地表の何分の１か。地表を１とするといくらか。
３．太陽の深さでは、時間と空間は地表の何分の１か。地表を１とするといくらか。
４．ブラックホールの時間と空間は、地表の何分の１か。地表を１とするといくらか。
５．地表において、陽子のラブの時間と空間は電子のラブの何分の１か。電子のラブの時間と空間を１とするといくらか。
６．宇宙の場において、電子のラブのエネルギーと電子のラブの軌道とＡ（地表を１とするエネルギーの比）と空間と時間と温度と引力を表にするとどのようであるか。
７．宇宙の場において、エネルギーと軌道の関係はどのようなグラフで現されるか。
８．宇宙のエネルギーと軌道の関係のグラフで何が理解できるか。
９．ｘ＝０のとき、ビッグバンがおきたと仮定すると、その場の電子のラブの質量になる光子のエネルギーはいくらか。その場の陽子のラブの質量になる光子のエネルギーはいくらか。
１０．ビッグバンの場で存在した光子のエネルギーはどのように質量と成ったか。
１１．ビッグバンがおきた時＝ビッグバンの以前、の時間と空間は地表の何倍か。
１２．ビッグバンの後の時間と空間は地表の何倍か。
１３．ビッグバンで時間と空間は何倍に拡大したか。
１４．ビッグバンの以前の温度と引力はいくらか。
【課題を解決するための手段】
【０００４】時間を秒速で比較する。空間を公転軌道で比較する。
地表の電子のラブの公転軌道を、１．０５８×１０−１０ｍとし、これを１とする。
地表の電子のラブの秒速を、２．１０６×１０６ｍとし、これを１とする。
宇宙の場の、時間と空間と軌道とエネルギーと温度と引力の関係は、ラブの公転軌道エネルギー＝８．６６５×１０−２４Ｊｍで解る。
これを、グラフに示し、ビッグバンの点を、ｘ＝０とする。エネルギーは８．６６５Ｊです。これは、ビッグバンの以前の、電子のラブの質量に成る１個の光子のエネルギーです。
エネルギーから質量に変換する時、エネルギーが質量に成るために必要なエネルギーがある。これを「ラブ生成エネルギー」と名づける。
「ラブ生成エネルギー」は、ラブのエネルギーの１０００倍であると考える。
【発明の実施態様】
【０００５】１．軌道が小さくなるほど時間は短縮する。高エネルギーの場ほど、時間は短縮している。低エネルギーの場ほど、時間は伸びている。時間の短縮と拡大の原理
電子のラブの秒速は、軌道が小さくなるほど小さくなる。
電子のラブの秒速＝３．１４×公転軌道×１秒間の公転数＝３．１４×公転軌道×（７．９６×１０７）２公転です。
陽子のラブの秒速は、軌道が小さくなるほど小さくなる。
陽子のラブの秒速＝３．１４×公転軌道×１秒間の公転数＝３．１４×公転軌道×４．３４×１０４×７．９６×１０７公転  です。
例えば、地表は１℃の場であるとします。１℃の場では、電子のラブの公転軌道は、１．０５８×１０−１０ｍで、秒速は、２．１×１０６ｍです。
１００℃の場では、電子のラブの公転軌道は、１．０５８×１０−１１ｍで、秒速は、２．１×１０５ｍです。
１００００℃の場では、電子のラブの公転軌道は、１．０５８×１０−１２ｍで、秒速は、２．１×１０４ｍです。
１００℃の場では、軌道は１／１０になり、空間は１／１０になります。
秒速は１／１０になり、時間は１／１０になります。
１００００℃の場では、軌道は１／１００になり、空間は１／１００になります。
秒速は１／１００になり、時間は１／１００になります。
地表では、電子のラブの秒速は、２．１×１０６ｍです。
太陽の中で、１０６℃の場では、電子のラブの公転軌道は、１／１０００になり、秒速は１／１０００になります。
電子のラブにとって、太陽の中は、１秒間は２．１×１０３ｍです。地表は、１秒間は２．１×１０６ｍです。
時間を長さで表現したら、
地表は、１秒間は２．１×１０６ｍの世界です。太陽の中は、１秒間は２．１×１０３ｍの世界です。
よって、
高エネルギーの場ほど、時間は短縮している。空間は縮小している。
低エネルギーの場ほど、時間は伸びている。空間は拡大している。
２．地球の地下では、時間と空間は地表の何分の１か。地表を１とするといくらか。
・地下６５００Ｋｍの温度は７３２７℃です。温度１／２＝８５．６℃  Ａ＝８５．６
時間は秒速で比較する。空間は公転軌道で比較する。
秒速は、３．１４×１．０５８×１０−１０ｍ÷８５．６×（７．９５×１０７）３公転で、地表の８５．６分の１です。
１÷８５．６＝１．１６×１０−２
時間は地表を１とすると、１．１６×１０−２に短縮しています。
電子のラブの公転軌道は、１．０５８×１０−１０ｍ÷８５．６で、地表の８５．６分の１です。
１÷８５．６＝１．１６×１０−２
空間は地表を１とすると、１．１６×１０−２に縮小しています。
・地下６０００Ｋｍの温度は６０００℃です。温度１／２＝７７．４６℃  Ａ＝７７．４６
秒速は、地表の７７．４６分の１です。
１÷７７．４６＝１．２９×１０−２
時間は地表を１とすると、１．２９×１０−２に短縮しています。
電子のラブの公転軌道は、地表の７７．４６分の１です。
空間は地表を１とすると、１．２９×１０−２に縮小しています。
・地下５０００Ｋｍの温度は５０００℃です。温度１／２＝７０．７１℃  Ａ＝７０．７１
秒速は、地表の７０．７１分の１です。
１÷７０．７１＝１．４１４×１０−２
時間は地表を１とすると、１．４１４×１０−２に短縮しています。
電子のラブの公転軌道は、地表の７７．４６分の１です。
空間は地表を１とすると、１．４１４×１０−２に縮小しています。
・地下４０００Ｋｍの温度は４０００℃です。温度１／２＝６３．２５℃  Ａ＝６３．２５
秒速は、地表の６３．２５分の１です。
１÷６３．２５＝１．４１４×１０−２
時間は地表を１とすると、１．５８１×１０−２に短縮しています。
電子のラブの公転軌道は、地表の６３．２５分の１です。
空間は地表を１とすると、１．５８１×１０−２に縮小しています。
・地下３０００Ｋｍの温度は３０００℃です。温度１／２＝５４．７７℃  Ａ＝５４．７７
秒速は、地表の５４．７７分の１です。
１÷５４．７７＝１．８２６×１０−２
時間は地表を１とすると、１．８２６×１０−２に短縮しています。
電子のラブの公転軌道は、地表の５４．７７分の１です。
空間は地表を１とすると、１．８２６×１０−２に縮小しています。
・地下２０００Ｋｍの温度は２０００℃です。温度１／２＝４４．７２℃  Ａ＝４４．７２
秒速は、地表の４４．７２分の１です。
１÷４４．７２＝２．２３６×１０−２
時間は地表を１とすると、２．２３６×１０−２に短縮しています。
電子のラブの公転軌道は、地表の４４．７２分の１です。
空間は地表を１とすると、２．２３６×１０−２に縮小しています。
・地下１０００Ｋｍの温度は１０００℃です。温度１／２＝３１．６２３℃  Ａ＝３１．６２３
秒速は、地表の４４．７２分の１です。
１÷３１．６２３＝３．１６２×１０−２
時間は地表を１とすると、３．１６２×１０−２に短縮しています。
電子のラブの公転軌道は、地表の３１．６２３分の１です。
空間は地表を１とすると、３．１６２×１０−２に縮小しています。
３．太陽の深さでは、時間と空間は地表の何分の１か。地表を１とするといくらか。
・深さ７×１０５Ｋｍの温度は、１５×１０６℃です。温度１／２＝３．８７３×１０３℃  Ａ＝３．８７３×１０３
秒速は、地表の３．８７３×１０３分の１です。
１÷（３．８７３×１０３）＝２．５８２×１０−４
時間は地表を１とすると、２．５８２×１０−４に短縮しています。
電子のラブの公転軌道は、地表の３．８７３×１０３分の１です。
空間は地表を１とすると、２．５８２×１０−４に縮小しています。
・深さ６×１０５Ｋｍの温度は、１５×１０６℃です。温度１／２＝３．８７３×１０３℃  Ａ＝３．８７３×１０３
秒速は、地表の３．８７３×１０３分の１です。
１÷（３．８７３×１０３）＝２．５８２×１０−４
時間は地表を１とすると、２．５８２×１０−４に短縮しています。
電子のラブの公転軌道は、地表の３．８７３×１０３分の１です。
空間は地表を１とすると、２．５８２×１０−４に縮小しています。
・深さ５×１０５Ｋｍの温度は、１１．７×１０６℃です。温度１／２＝３．４２８×１０３℃  Ａ＝３．４２８×１０３
秒速は、地表の３．４２８×１０３分の１です。
１÷（３．４２８×１０３）＝２．９１７×１０−４
時間は地表を１とすると、２．９１７×１０−４に短縮しています。
電子のラブの公転軌道は、地表の３．４２８×１０３分の１です。
空間は地表を１とすると、２．９１７×１０−４に縮小しています。
・深さ４×１０５Ｋｍの温度は、８．５×１０６℃です。温度１／２＝２．９１５×１０３℃  Ａ＝２．９１５×１０３
秒速は、地表の２．９１５×１０３分の１です。
１÷（２．９１５×１０３）＝３．４３１×１０−４
時間は地表を１とすると、３．４３１×１０−４に短縮しています。
電子のラブの公転軌道は、地表の２．９１５×１０３分の１です。
空間は地表を１とすると、３．４３１×１０−４に縮小しています。
・深さ３×１０５Ｋｍの温度は、５．２５×１０６℃です。温度１／２＝２．２９１×１０３℃  Ａ＝２．２９１×１０３
秒速は、地表の２．２９１×１０３分の１です。
１÷（２．２９１×１０３）＝４．３６５×１０−４
時間は地表を１とすると、４．３６５×１０−４に短縮しています。
電子のラブの公転軌道は、地表の２．２９１×１０３分の１です。
空間は地表を１とすると、４．３６５×１０−４に縮小しています。
・深さ２×１０５Ｋｍの温度は、２×１０６℃です。温度１／２＝１．４１４×１０３℃  Ａ＝１．４１４×１０３
秒速は、地表の１．４１４×１０３分の１です。
１÷（１．４１４×１０３）＝７．０７２×１０−４
時間は地表を１とすると、７．０７２×１０−４に短縮しています。
電子のラブの公転軌道は、地表の１．４１４×１０３分の１です。
空間は地表を１とすると、７．０７２×１０−４に縮小しています。
・深さ１０５Ｋｍの温度は、１０６℃です。温度１／２＝１０３℃  Ａ＝１０３
秒速は、地表の１０３分の１です。
１÷１０３＝１０−３
時間は地表を１とすると、１０−３に短縮しています。
電子のラブの公転軌道は、地表の１０３分の１です。
空間は地表を１とすると、１０−３に縮小しています。
・深さ１０４Ｋｍの温度は、１０５℃です。温度１／２＝３．１６２×１０２℃  Ａ＝３．１６２×１０２
秒速は、地表の３．１６２×１０２分の１です。
１÷（３．１６２×１０２）＝３．１６３×１０−３
時間は地表を１とすると、３．１６３×１０−３に短縮しています。
電子のラブの公転軌道は、地表の３．１６２×１０２分の１です。
空間は地表を１とすると、３．１６３×１０−３に縮小しています。
・深さ１０３Ｋｍの温度は、１０４℃です。温度１／２＝１０２℃  Ａ＝１０２
秒速は、地表の１０２分の１です。
１÷１０２＝１０−２
時間は地表を１とすると、１０−２に短縮しています。
電子のラブの公転軌道は、地表の１０２分の１です。
空間は地表を１とすると、１０−２に縮小しています。
・深さ４×１０２Ｋｍの温度は、６．４×１０３℃です。温度１／２＝８０℃  Ａ＝８０
秒速は、地表の８０分の１です。
１÷８０＝１．２５×１０−２
時間は地表を１とすると、１．２５×１０−２に短縮しています。
電子のラブの公転軌道は、地表の８０分の１です。
空間は地表を１とすると、１．２５×１０−２に縮小しています。
・深さ１Ｋｍの温度は、４．３×１０３℃です。温度１／２＝６５．５７４℃  Ａ＝６５．５７４
秒速は、地表の６５．５７４分の１です。
１÷６５．５７４＝１．５２５×１０−２
時間は地表を１とすると、１．５２５×１０−２に短縮しています。
電子のラブの公転軌道は、地表の６５．５７４分の１です。
空間は地表を１とすると、１．５２５×１０−２に縮小しています。
４．ブラックホールの時間と空間は、地表の何分の１か。地表を１とするといくらか。
ブラックホールの温度を１．５×１０１０℃としますと、温度１／２＝１．２２５×１０５℃  Ａ＝１．２２５×１０５
ブラックホールの時間と空間は、地表の１．２２５×１０５分の１です。
１÷（１．２２５×１０５）＝８．１６３×１０−６
時間は地表を１とすると、８．１６３×１０−６に短縮しています。
空間は地表を１とすると、８．１６３×１０−６に縮小しています。
５．地表において、陽子のラブの時間と空間は電子のラブの何分の１か。電子のラブの時間と空間を１とするといくらか。
・陽子のラブの秒速は、
３．１４×５．７６４×１０−１４ｍ×４．３４×１０４×７．９６×１０７公転＝０．６２５３ｍ  です。
陽子のラブの秒速は、電子のラブの秒速の何倍か。
０．６２５３ｍ÷（２．１×１０６ｍ）＝２．９７８×１０−７倍です。
これは、何分の１か。
１÷（２．９７８×１０−７）＝３．３５８×１０６分の１です。
陽子のラブの時間は、電子のラブの時間の３．３５８×１０６分の１です。
陽子のラブの時間は、電子のラブの時間を１とすると、２．９７８×１０−７です。
・地表において、陽子のラブの公転軌道は、５．７６４×１０−１４ｍですから、これは電子のラブの公転軌道の１８３６分の１です。
陽子のラブの空間は、電子のラブの空間の１８３６分の１です。
１÷１８３６＝５．４４６×１０−４
陽子のラブの空間は、電子のラブの空間を１とすると、５．４４６×１０−４です。
即ち、高エネルギーの場ほど、時間と空間は縮小している。
６．宇宙の場において、電子のラブのエネルギーと電子のラブの軌道とＡ（地表を１とするエネルギーの比）と空間と時間と温度と引力を表にするとどのようであるか。
ラブの軌道エネルギー＝８．６６５×１０−２４です。
宇宙の電子の軌道エネルギーもこの式によって表現できる。
宇宙の電子のラブの軌道とエネルギーから、地表を１とする、エネルギーの比と空間の比と時間の比と温度の比と引力の比が理解できる。
それを、表にする。
2007274891.tif 000003
７．宇宙の場において、エネルギーと軌道の関係はどのようなグラフで現されるか。
ラブのエネルギー×軌道＝８．６６５×１０−２４Ｊｍです。
ラブのエネルギーを１０ｘＪとし、ラブの公転軌道を１０ｙｍとする。
１０ｘＪ×１０ｙｍ＝８．６６５×１０−２４Ｊｍ
ｘ＋ｙ＝−２４＋ｌｏｇ８．６６５＝−２４＋０．９３１
ｘ＋ｙ≒−２３
ｙ＝−ｘ−２３
ラブのエネルギーを１０ｘＪとし、ラブの公転軌道を１０ｘｍとすると、その関係のグラフは、
ｙ＝−ｘ−２３です。
８．宇宙のエネルギーと軌道の関係のグラフで何が理解できるか。
▲１▼その場のエネルギーが、宇宙のどの点に属するのかを理解できる。
・地表の電子のラブは、公転軌道は１．０５８×１０−１０ｍで、エネルギーは８．１８７×１０−１４Ｊですから、ｙ≒−１０で、ｘ＝−１４＋０．９１≒−１３です。
・電子の崩壊は、−２７３℃ですから、その場の電子のラブの公転軌道は、１．０５８×１０−１０ｍ×１６．５２２＝１．７４８×１０−９ｍですから、ｙ＝−９＋ｌｏｇ１．７４８＝−９＋０．２４＝−８．７６ｘ＝−２３＋８．７６＝１４．２４  です。
・中性子星の電子のラブの公転軌道は、１．０８０×１０−１５ｍです。（これは、２００７年３月７日提出した特許願「請求項１３」に記した。）
それで、ｙ≒−１５で、ｘ≒−８です。
・ブラックホールの電子のラブの公転軌道は、８．６３９×１０−１６ｍです。（これは、２００７年３月７日提出した特許願「請求項１２」に記した。）
それで、ｙ＝−１６＋ｌｏｇ８．６３９＝−１６＋０．９４≒−１５で、ｘ＝−８です。
・地球の中心は、電子のラブの公転軌道は、１．０５８×１０−１０ｍ÷８５．６＝１．２３６×１０−１２ｍです。
それで、ｙ＝−１２＋ｌｏｇ１．２３６＝−１２＋０．１３３５＝−１１．８７で、ｘ＝−２３＋１１．８７＝−１１．１３
・太陽の中心は、電子のラブの公転軌道は、１．０５８×１０−１０ｍ÷（３．８７３×１０３）＝２．７３２×１０−１４ｍです。
それで、ｙ＝−１４＋ｌｏｇ２．７３２＝−１４＋０．４３６＝−１３．５６で、ｘ＝−２３＋１３．５６＝−９．４４
このように、具体的に、その場のエネルギーが、宇宙のどの点に属するのかを理解できる。
▲２▼ｘ＝０の時、ビッグバンがおきたと推察できる。
▲３▼ビッグバンがおきた以前の宇宙が有る事が予想できる。その宇宙は、エネルギーは８．６６５Ｊより大きい。公転軌道は１０−２４ｍより小さい。
９．ｘ＝０のとき、ビッグバンがおきたと仮定すると、その場の電子のラブの質量になる光子のエネルギーはいくらか。その場の陽子のラブの質量になる光子のエネルギーはいくらか。
ｘ＝０の場合。
その場の電子のラブの質量になる光子のエネルギーは、８．６６５×１００Ｊ＝８．６６５Ｊです。
その場の陽子のラブの質量になる光子のエネルギーは、１８３６倍ですから、８．６６５Ｊ×１８３６＝１．５９１×１０４Ｊです。
この場のエネルギーは、地表の、１．５９１×１０４Ｊ÷（１．５×１０−１０Ｊ）＝１．０６×１０１４倍です。
この場はビッグバンがおきた場で、ビッグバンの以前の場であり、ここに存在するのは光子だけです。
１０．ビッグバンの場で存在した光子のエネルギーはどのように質量と成ったか。
この問題に関して、私は、２００６年１２月３０日提出した、特願２００６−３５７５５０の「請求項５」で、（質量はエネルギーから生まれた。ビッグバンの以前、存在したのはエネルギーだけであった。それがビッグバンによって、エネルギーは絶対０度の空間に放出した。エネルギーは急に冷えたので、固体になり、質量に変身した。
ビッグバンの以前、存在したのは光子のエネルギーであった。そして、ビッグバンの時、光子のエネルギーは質量に変換した。１Ｊｍの自転軌道エネルギーは２．６６７Ｋｇに変換した。）と記した。
エネルギーから質量に変わるとき、たくさんのエネルギーが使われると考える。
例えば、水蒸気が水になるとき、エネルギーを放散して水に成ります。
低エネルギーの物になるためには、エネルギーを減少させる必要があります。
それで、エネルギーから質量になるためには、エネルギーを減少させて質量になった。
エネルギーが質量になるために必要なエネルギー＝エネルギーが質量に変換するために必要なエネルギー＝エネルギーが質量になるために消費されるエネルギー
これを「ラブ生成エネルギー」と名づける
「ラブ生成エネルギー」はラブのエネルギーの１０００倍であると考える。
エネルギーの１０００分の１が質量に変換した。と考える。
例えば、１Ｊの光子のエネルギーが有った場合、質量になったエネルギーは０．００１Ｊのエネルギーであると考える。
それで、
ｘ＝０のとき、ビッグバンがおきたと仮定する。
・その場の電子のラブの質量になる光子のエネルギーは８．６６５Ｊです。
この光子を１粒（１個）の光子と考える。
８．６６５Ｊの１粒（１個）の光子から電子のラブ１個ができたと考える。
電子のラブの質量になる光子１個の自転軌道は、
６．１１２×１０−５７Ｊｍ÷光子１個のエネルギー＝６．１１２×１０−５７Ｊｍ÷８．６６５Ｊ＝７．０５４×１０−５８ｍです。
・その場の陽子のラブの質量になる光子１個のエネルギーは、１．５９１×１０４Ｊです。
この光子を１粒（１個）の光子と考える。
１．５９１×１０４Ｊの１粒（１個）の光子から陽子のラブ１個ができたと考える。
陽子のラブの質量になる光子１個の自転軌道は、
１．２１１×１０−５３Ｊｍ÷光子１個のエネルギー＝１．１２１×１０−５３Ｊｍ÷（１．５９１×１０４Ｊ）＝７．０４６×１０−５８ｍです。
ビッグバンの後。
ビッグバンの以前の光子の１０００分の１のエネルギーが電子のラブになった。
ビッグバンの後、８．６６５Ｊ÷１０００＝８．６６５×１０−３Ｊの光子のエネルギーが電子のラブの質量に成った。
１．５９１×１０４Ｊ÷１０００＝１５．９１Ｊの光子のエネルギーが陽子のラブの質量に成った。
特願２００６−３５７５５０の「請求項１０」において、（もしビッグバンの時の場のエネルギーが、地上の１０１１倍であるとすると、陽子のラブのエネルギーは、１．５×１０−１０Ｊ×１０１１＝１．５×１０Ｊです。）と記した。
よって、宇宙のエネルギーと軌道の関係のグラフで、ｘ＝０の点をビッグバンがおきた時、と仮定すると、その場の電子のラブの質量になる光子１個のエネルギーは８．６６５Ｊで、陽子のラブの質量になる光子１個のエネルギーは１．５９１×１０４Ｊです。
この光子１個のエネルギーの約１／１０００がラブの質量になるエネルギーに成るとすると、電子のラブの質量に成る光子１個のエネルギーは８．６６５×１０−３Ｊで、陽子のラブの質量に成る光子１個のエネルギーは１５．９１Ｊです。
陽子のラブの質量に成る光子１個のエネルギーを、１５Ｊとする。
電子のラブの質量に成る光子１個のエネルギーを、８．１８７×１０−３Ｊとする。
この場のエネルギーは、地表の１０１１倍である。
以下は特願２００６−３５７５５０と同じです。
これを表にします。
ビッグバンがおきた時＝ビッグバンの以前の状態。
2007274891.tif 000004
ビッグバンの後質量ができた。
2007274891.tif 000005
１１．ビッグバンがおきた時＝ビッグバンの以前、の時間と空間は地表の何倍か。
ビッグバンがおきた時の状態はビッグバンの以前の状態です。
それで、ビッグバンがおきた時の状態＝ビッグバンの以前の状態  です。
ビッグバンがおきた時＝ビッグバンの以前。
・電子のラブの質量になる光子１個の場合。
電子のラブの質量になる光子１個のエネルギーは８．６６５Ｊで、自転軌道は、７．０５４×１０−５８ｍです。現在、地表の電子のラブの自転軌道は、４．１７５×１０−１８ｍです。
それで、ビッグバンの以前の空間は、地表の空間の、
４．１７５×１０−１８ｍ÷（７．０５４×１０−５８ｍ）＝５．９１２×１０３９分の１であり、
１÷（５．９１２×１０３９）＝１．６９１×１０−４０倍です。
空間が１．６９１×１０−４０倍ですから、時間も１．６９１×１０−４０倍です。
ビッグバンの以前、電子のラブの質量になる光子１個の秒速は、
２．１０６×１０６×１．６９１×１０−４０＝３．５６１×１０−３４ｍです。
この光子は１秒間に何回自転するか。
秒速÷自転軌道＝３．５６１×１０−３４ｍ÷（７．０５４×１０−５８ｍ）＝５．０４８×１０２３回自転する。
これは、電子のラブの１秒間の自転数です。
・陽子のラブの質量になる光子１個の場合。
陽子のラブの質量になる光子１個のエネルギーは１．５９１×１０４Ｊで、自転軌道は、７．０５４×１０−５８ｍです。地表の陽子のラブの自転軌道は、４．１７５×１０−１８ｍです。
それで、ビッグバンの以前の空間は、地表の空間の、
４．１７５×１０−１８ｍ÷（７．０４６×１０−５８ｍ）＝５．９２５×１０３９分の１であり、
１÷（５．９２５×１０３９）＝１．６８８×１０−４０倍です。
空間が１．６８８×１０−４０倍ですから、時間も１．６８８×１０−４０倍です。
ビッグバンの以前、陽子のラブの質量になる光子１個の秒速は、
０．６２６６×１．６８８×１０−４０＝１．０５８×１０−４０ｍです。
この光子は１秒間に何回自転するか。
秒速÷自転軌道＝１．０５８×１０−４０ｍ÷（７．０４６×１０−５８ｍ）＝１．５０２×１０１７回自転する。
これは、陽子のラブの１秒間の自転数です。
即ち、ビッグバンの以前、電子のラブの質量に成る１個の光子は、１秒間に（７．９６×１０７）３＝５．０４４×１０２３回自転していた。
ビッグバンの以前、陽子のラブの質量に成る１個の光子は、１秒間に４．３４×１０４×（７．９６×１０７）２＝１．４９９×１０１７回自転していた。
この事によって、ビッグバンの以前に、電子のラブの性質は、電子のラブの質量に成る光子に、すでにできあがっていた。
ビッグバンの以前に、陽子のラブの性質は、陽子のラブの質量に成る光子に、すでにできあがっていた。
電子のラブと陽子のラブは、偶然にできたのではない。
１２．ビッグバンの後の時間と空間は地表の何倍か。
ビッグバンの後、電子のラブの質量になる１個の光子は、約１０００分の１のエネルギーが電子のラブの質量になった。と仮定する。
・電子のラブの場合。
ビッグバンの後、できた電子のラブのエネルギーは、８．１８７×１０−３Ｊで、電子のラブの自転軌道は、４．１７２×１０−２９ｍです。
地表の、電子のラブの自転軌道は、４．１７５×１０−１８ｍです。
ビッグバンの後の空間は、地表の空間の、
４．１７５×１０−１８ｍ÷（４．１７２×１０−２９ｍ）＝１０１１分の１です。
１÷１０１１＝１０−１１倍です。
ビッグバンの後の、電子のラブの秒速は、
自転軌道×１秒間の自転数＝４．１７２×１０−２９ｍ×５．０４４×１０２３回＝２．１０４×１０−５ｍです。
地表の、電子のラブの秒速は、２．１０６×１０６ｍです。
ビッグバン後の時間は、地表の時間の、
２．１０６×１０６ｍ÷（２．１０４×１０−５ｍ）＝１０１１分の１です。
１÷１０１１＝１０−１１倍です。
１秒間の自転数は、
秒速÷自転軌道＝２．１０４×１０−５ｍ÷（４．１７２×１０−２９ｍ）＝５．０４３×１０２３自転です。
・陽子のラブの場合。
ビッグバンの後、できた陽子のラブのエネルギーは、１５Ｊで、陽子のラブの自転軌道は、４．１８２×１０−２９ｍです。
地表の、陽子のラブの自転軌道は、４．１７５×１０−１８ｍです。
ビッグバンの後の空間は、地表の空間の、
４．１７５×１０−１８ｍ÷（４．１８２×１０−２９ｍ）≒１０１１分の１です。
１÷１０１１＝１０−１１倍です。
ビッグバンの後の、陽子のラブの秒速は、
自転軌道×１秒間の自転数＝４．１８２×１０−２９ｍ×１．４９９×１０１７回＝６．２６９×１０−１２ｍです。
地表の、陽子のラブの秒速は、０．６２６６ｍです。
ビッグバン後の時間は、地表の時間の、
０．６２６６ｍ÷（６．２６９×１０−１２ｍ）≒１０１１分の１です。
１÷１０１１＝１０−１１倍です。
１秒間の自転数は、
秒速÷自転軌道＝６．２６９×１０−１２ｍ÷（４．１８２×１０−２９ｍ）＝１．４９９×１０１７自転です。
秒速
2007274891.tif 000006
2007274891.tif 000007
１３．ビッグバンで時間と空間は何倍に拡大したか。
・電子のラブの質量に成る１個の光子の場合、
ビッグバンの以前、電子のラブの質量に成る１個の光子の自転軌道は、７．０５４×１０−５８ｍです。ビッグバンの後、電子のラブの自転軌道は、４．１７２×１０−２９ｍです。
ビッグバンで、空間は、４．１７２×１０−２９ｍ÷（７．０５４×１０−５８ｍ）＝５．９１４×１０２８倍に拡大した。
ビッグバンの以前、電子のラブの質量に成る１個の光子の秒速は、３．５６１×１０−３４ｍです。
ビッグバンの後、電子のラブの秒速は、２．１０４×１０−５ｍです。
ビッグバンで、時間は、２．１０４×１０−５ｍ÷（３．５６１×１０−３４ｍ）＝５．９０８×１０２８倍に伸びた。
・陽子のラブの質量に成る１個の光子の場合、
ビッグバンの以前、陽子のラブの質量に成る１個の光子の自転軌道は、７．０４６×１０−５８ｍです。ビッグバンの後、陽子のラブの自転軌道は、４．１８２×１０−２９ｍです。
ビッグバンで、空間は、４．１８２×１０−２９ｍ÷（７．０４６×１０−５８ｍ）＝５．９３５×１０２８倍に拡大した。
ビッグバンの以前、陽子のラブの質量に成る１個の光子の秒速は、１．０５８×１０−４０ｍです。
ビッグバンの後、陽子のラブの秒速は、６．２６９×１０−１２ｍです。
ビッグバンで、時間は、６．２６９×１０−１２ｍ÷（１．０５８×１０−４０ｍ）＝５．９２５×１０２８倍に伸びた。
１４．ビッグバンの以前の温度と引力はいくらか。
電子のラブの質量に成る１個の光子のエネルギーは、８．６６５Ｊです。
これは地表の電子のラブのエネルギーの、
８．６６５Ｊ÷（８．１８７×１０−１４Ｊ）＝１．０５８×１０１４倍です。Ａ＝１．０５８×１０１４温度と引力はＡ２倍ですから、
Ａ２＝（１．０５８×１０１４）２＝１．１２×１０２８
温度と引力は、地表の１．１２×１０２８倍です。
ビッグバンの以前の温度は、１．１２×１０２８℃です。
ビッグバンの以前の引力係数は、
地表の引力係数×１．１２×１０２８＝６．６７２×１０−１１Ｊｍ／Ｋｇ２×１．１２×１０２８＝７．４７３×１０１７Ｊｍ／Ｋｇ２です。
ビッグバンの以前とビッグバン後のまとめ。
2007274891.tif 000008
2007274891.tif 000009
場のエネルギーとＡと温度と引力
2007274891.tif 000010
【発明の効果】
【０００６】次の事が理解できた。
１．電子のラブの秒速により、時間は短縮し、拡大する。
２．時間と空間の短縮と拡大は、その場のエネルギーによる。
３．時間と空間の短縮と拡大は、その場の軌道による。
４．地球の地下における、時間と空間の縮小。これが拡大し、地球の表面になる。
５．太陽の深さにおける、時間と空間の縮小。これが拡大し、太陽の表面になる。
６．ブラックホールの時間と空間は、地表の８．１６３×１０−６倍です。
７．地表でも、陽子のラブの時間は電子のラブの時間の２．９７８×１０−７倍に短縮されている。
陽子のラブの空間は、電子のラブの空間の５．４４６×１０−４倍に縮小されている。
８．宇宙の場において、ラブのエネルギーを１０ｘＪとし、ラブの公転軌道を１０ｙｍとすると、その関係のグラフは、ｙ＝−ｘ−２３です。
９．宇宙のエネルギーと軌道のグラフでは、▲１▼その場のエネルギーが宇宙のどの点に属するかを理解できる。▲２▼ｘ＝０の時ビッグバンがおきたと推察できる。▲３▼ビッグバンがおきた以前の宇宙の事が推察できる。
１０．Ｘ＝０の時、ビッグバンがおきたとすると、電子のラブの質量に成る１個の光子のエネルギーは、８．６６５Ｊです。陽子のラブの質量に成る光子１個のエネルギーは、１．５９×１０４Ｊです。
１１．ビッグバンの以前の電子のラブの質量に成る１個の光子のエネルギーは、８．６６５Ｊで、自転軌道は７．０５４×１０−５８ｍで、秒速は３．５６１×１０−３４ｍで、１秒間に５．０４８×１０２３回自転する。
１２．ビッグバンの以前の陽子のラブの質量に成る１個の光子のエネルギーは、１．５９１×１０４Ｊで、自転軌道は７．０４６×１０−５８ｍで、秒速は１．０５８×１０−４０ｍで、１秒間に１．５０２×１０１７回自転する。
１３．上記の事によって、ビッグバンの以前に、電子のラブの性質は、電子のラブの質量になる１個の光子に、すでにできあがっていた。ビッグバンの以前に、陽子のラブの性質は、陽子のラブの質量になる１個の光子に、すでにできあがっていた。
１４．光子のエネルギーが質量に成る時、「ラブ生成エネルギー」が必要であり、そのエネルギーは、ラブのエネルギーの１０００倍であると考える。
１５．ビッグバンの以前の場のエネルギーは、地上の１．０６×１０１４倍です。この場の温度と引力は、地表の１．１２×１０２８倍です。
１６．ビッグバンによって、光子の時間と空間は５．９×１０２８倍に拡大した。
１７．ビッグバン後の電子のラブのエネルギーは、８．１８７×１０−３Ｊで、自転軌道は４．１７２×１０−２９ｍで、秒速は２．１０４×１０−５ｍで、１秒間に５．０４３×１０２３回自転する。
１８．ビッグバン後の陽子のラブのエネルギーは、１５Ｊで、自転軌道は４．１８２×１０−２９ｍで、秒速は６．２６９×１０−１２ｍで、１秒間に１．４９９×１０１７回自転する。
【図面の簡単な説明】
【０００６】
【図１】宇宙の場において、ラブのエネルギーと公転軌道の関係を示すグラフ。ラブのエネルギーを１０ｘＪとし、ラブの公転軌道を１０ｙｍとすると、その関係のグラフは、ｙ＝−ｘ−２３です。
【図２】ビッグバンの以前の電子のラブの質量に成る１個の光子のエネルギーは、８．６６５Ｊで、自転軌道は７．０５４×１０−５８ｍで、秒速は３．５６１×１０−３４ｍで、１秒間に５．０４８×１０２３回自転する。ビッグバン後の電子のラブのエネルギーは、８．１８７×１０−３Ｊで、自転軌道は４．１７２×１０−２９ｍで、秒速は２．１０４×１０−５ｍで、１秒間に５．０４３×１０２３回自転する。ビッグバンによって、光子の時間と空間は５．９×１０２８倍に拡大した。
【符号の説明】
【０００７】１  地表の電子のラブは、公転軌道は１．０５８×１０−１０ｍで、エネルギーは８．１８７×１０−１４Ｊですから、ｙ≒−１０で、ｘ＝−１４＋０．９１≒−１３です。
２  電子の崩壊は、−２７３℃ですから、その場の電子のラブの公転軌道は、１．０５８×１０−１０ｍ×１６．５２２＝１．７４８×１０−９ｍですから、ｙ＝−９＋ｌｏｇ１．７４８＝−９＋０．２４＝−８．７６
ｘ＝−２３＋８．７６＝１４．２４
３  ブラックホールの電子のラブの公転軌道は、８．６３９×１０−１６ｍです。
それで、ｙ＝−１６＋ｌｏｇ８．６３９＝−１６＋０．９４≒−１５で、ｘ＝−８です。
４  太陽の中心は、電子のラブの公転軌道は、１．０５８×１０−１０ｍ÷（３．８７３×１０３）＝２．７３２×１０−１４ｍです。
それで、ｙ＝−１４＋ｌｏｇ２．７３２＝−１４＋０．４３６＝−１３．５６で、ｘ＝−２３＋１３．５６＝−９．４４
５  ビッグバンの以前の電子のラブの質量に成る１個の光子
６  ビッグバン後の電子のラブ
【図１】
2007274891.tif 000020
【図２】
2007274891.tif 000021